(57)【要約】【課題】簡単な操作により被管理者の入場時及び退場時の画像を確認できるようにする。【解決手段】データファイルに保存されたデータの識別コードによって識別される被管理者の個人情報を、そのデータの入場時又は退場時の日付とその日付が入場時のものか退場時のものかを指示する情報とともに所定の順番に並べたリストＬ０を作成する。そして、このリストＬ０に並べられた順番にデータファイルに保存された被管理者の撮影画像を表示部に表示させる。【選択図】    図１６
2004252745.tif 000002
【特許請求の範囲】
【請求項１】
入退場時毎に撮影された被管理者の画像を当該被管理者の識別コードと入場日時又は退場日時とともに保存するデータファイルを用いて前記被管理者の入退場を管理する入退場管理装置において、
前記データファイルに保存されたデータの識別コードによって識別される前記被管理者の個人情報を、そのデータの入場時又は退場時の日付とその日付が入場時のものか退場時のものかを指示する情報とともに所定の順番に並べたリストを作成するリスト作成手段と、
このリスト作成手段により作成されたリストに並べられた順番に前記データファイルに保存された被管理者の撮影画像を表示部に表示させる画像表示制御手段と、
を具備したことを特徴とする入退場管理装置。
【請求項２】
リストのデータ並び替え条件を設定する並び替え条件設定手段と、
この並び替え条件設定手段により設定された複数のデータ並び替え条件を記憶する並び替え条件記憶手段と、
この並び替え条件記憶手段により記憶された複数のデータ並び替え条件のなかから所望する条件を選択する並び替え条件選択手段と、
この並び替え条件選択手段により選択されたデータ並び替え条件に従い前記リスト作成手段により作成されたリストのデータを並び替えるデータ並び替え手段とをさらに具備し、
前記画像表示制御手段は、前記データ並び替え手段によりデータの並び替えが行なわれたリストの順番に前記データファイルに保存された被管理者の撮影画像を前記表示部に表示させる手段を含むことを特徴とする請求項１記載の入退場管理装置。
【請求項３】
リストからのデータ抽出条件を設定する抽出条件設定手段と、
この抽出条件設定手段により設定された複数のデータ抽出条件を記憶する抽出条件記憶手段と、
この抽出条件記憶手段により記憶された複数のデータ抽出条件のなかから所望する条件を選択する抽出条件選択手段と、
この抽出条件選択手段により選択されたデータ抽出条件に該当するデータを前記リスト作成手段により作成されたリストから抽出するデータ抽出手段とをさらに具備し、
前記画像表示制御手段は、前記データ抽出手段により抽出されたデータに対応して前記データファイルに保存された被管理者の撮影画像を前記表示部に表示させる手段を含むことを特徴とする請求項１記載の入退場管理装置。
【請求項４】
前記画像表示制御手段は、前記被管理者の撮影画像とともに、画像保存手段により予め保存された当該被管理者のオリジナル画像を前記表示部に表示させることを特徴とする請求項１，２，３のうちいずれか１項記載の入退場管理装置。
【請求項５】
入退場時毎に撮影された被管理者の画像を当該被管理者の識別コードと入場日時又は退場日時とともに保存するデータファイルを用いて前記被管理者の入退場を管理するコンピュータを、
前記データファイルに保存されたデータの識別コードによって識別される前記被管理者の個人情報を、そのデータの入場時又は退場時の日付とその日付が入場時のものか退場時のものかを指示する情報とともに所定の順番に並べたリストを作成するリスト作成手段、及び、
このリスト作成手段により作成されたリストに並べられた順番に前記データファイルに保存された被管理者の撮影画像を表示部に表示させる画像表示制御手段として機能させるための入退場管理プログラム。
【請求項６】
請求項５記載の入退場管理プログラムにおいて、前記コンピュータを、
リストのデータ並び替え条件を設定する並び替え条件設定手段、
この並び替え条件設定手段により設定された複数のデータ並び替え条件のなかから所望する条件を選択する並び替え条件選択手段、及び、
この並び替え条件選択手段により選択されたデータ並び替え条件に従い前記リスト作成手段により作成されたリストのデータを並び替えるデータ並び替え手段としてさらに機能させ、
前記画像表示制御手段は、前記データ並び替え手段によりデータの並び替えが行なわれたリストの順番に前記データファイルに保存された被管理者の撮影画像を前記表示部に表示させる手段を含むものである入退場管理プログラム。
【請求項７】
請求項５記載の入退場管理プログラムにおいて、前記コンピュータを、
リストからのデータ抽出条件を設定する抽出条件設定手段、
この抽出条件設定手段により設定された複数のデータ抽出条件のなかから所望する条件を選択する抽出条件選択手段、及び、
この抽出条件選択手段により選択されたデータ抽出条件に該当するデータを前記リスト作成手段により作成されたリストから抽出するデータ抽出手段としてさらに機能させ、
前記画像表示制御手段は、前記データ抽出手段により抽出されたデータに対応して前記データファイルに保存された被管理者の撮影画像を前記表示部に表示させる手段を含むものである入退場管理プログラム。
【請求項８】
請求項５，６，７のうちいずれか１項記載の入退場管理プログラムにおいて、
前記画像表示制御手段は、前記被管理者の該当日の入場時又は退場時に撮影された画像とともに、各被管理者毎に画像保存手段により保存されたその被管理者のオリジナル画像を前記表示部に表示させるものである入退場管理プログラム。
【発明の詳細な説明】
【０００１】
【発明の属する技術分野】
本発明は、会社や店等で働く社員の出退勤や施設等へ出入する各人の入退場を管理する技術に属するものである。
【０００２】
【従来の技術】
従来、社員の出退勤時の不正をチェックするシステムの一例として、社員のＩＤカードを読取るＩＤカードリーダと、社員の画像を撮影するカメラとを備え、社員の出退勤時毎にその都度、ＩＤカードリーダで当該社員のＩＤカードを読取るとともにカメラで当該社員の画像を撮像し、ＩＤカードの社員番号と撮影画像を、出退勤の区別及び撮影日時の情報とともにデータファイルに保存する。そして、管理者により検索条件として社員番号と日付が入力されると、その入力された日付に保存されたデータで、かつその入力された社員番号のデータをデータファイルから検索し、該当するデータの画像、つまり該当日における該当社員の出勤時の撮影画像と退勤時の撮影画像とを、予め登録された該当社員のオリジナル画像とともに画面を３分割して表示することで、本人が出退勤したか否かを確認するシステムがあった（例えば、特許文献１参照）。
【０００３】
【特許文献１】
特許第２５６８０２９号公報
【０００４】
【発明が解決しようとする課題】
しかしながら、従来のこの種の出退勤不正チェックシステムにおいては、チェックのときにチェック対象社員の社員番号とチェック対象日の日付をその都度入力しなければならなかったので、操作性が悪かった。また、チェック対象社員がチェック対象日に欠勤していたとしても、検索条件データを入力して該当データ無しが表示されるまでわからなかったので、チェック作業の効率も悪かった。さらに、出勤時及び退勤時の撮影画像だけでなく、必ず本人確認のために画面が３分割されてオリジナル画像が併せて表示されるので、本人を知っている管理者にとっては表示される画像が多いために煩わしく感じられ、撮影画像でなくオリジナル画像をチラッと見ただけで出退勤者が本人であると誤認識してしまうおそれがあった。
【０００５】
本発明はこのような事情に基づいてなされたもので、その目的とするところは、複数の被管理者の入場時及び退場時の画像を簡単に確認できるとともに、確認作業の効率が良く、本人確認の精度も高めることができる入退場管理装置及びコンピュータを当該入退場管理装置として機能させることができる入退場管理プログラムを提供しようとするものである。
【０００６】
【課題を解決するための手段】
本発明の入退場管理装置は、入退場時の都度撮影された被管理者の画像を当該被管理者の識別コードと入場日時又は退場日時とともに保存するデータファイルを用いて被管理者の入退場を管理するものにおいて、データファイルに保存されたデータの識別コードによって識別される前記被管理者の個人情報を、そのデータの入場時又は退場時の日付とその日付が入場時のものか退場時のものかを指示する情報とともに所定の順番に並べたリストを作成するリスト作成手段と、このリスト作成手段により作成されたリストに並べられた順番にデータファイルに保存された被管理者の撮影画像を表示部に表示させる画像表示制御手段とを備えたものである。
【０００７】
すなわち本装置においては、データファイルに保存されたデータの識別コードによって識別される被管理者の個人情報が、そのデータの入場時又は退場時の日付とその日付が入場時のものか退場時のものかを指示する情報とともに所定の順番に並べられたリストが作成される。そして、このリストに並べられた順番に各被管理者の入場時又は退場時に撮影された画像が表示部に表示される。したがって、各被管理者の撮影画像を確認するために格別な情報を入力する必要はない。
【０００８】
【発明の実施の形態】
以下、本発明の一実施の形態を図面を用いて説明する。
なお、この実施の形態は、会社や店等で働く社員の出退勤を管理するシステムに本発明を適用した場合である。すなわち、被管理者を社員とし、入場時を会社や店への出勤時とし、退場時を退勤時とする。
【０００９】
図１は本実施の形態における入退場管理システムの要部構成を示すブロック図であり、打刻用端末１０と、データベースサーバ２０と、入退場管理装置３０とからなる。打刻用端末１０と入退場管理装置３０とは、データベースサーバ２０を介してネットワークで接続しており、打刻用端末１０で入力された社員の出退勤時に関するデータをデータベースサーバ２０のデータファイル２１に保存し、このデータファイル２１に保存されたデータを用いて入退場管理装置３０により社員の出退勤を管理する仕組みとなっている。
【００１０】
データベースサーバ２０では、上記データファイル２１の他、各社員に対してそれぞれ設定された社員固有の社員コードに対応して氏名，役職などの社員個人データを保存した社員マスタファイル２２を管理している。
【００１１】
打刻用端末１０は、カメラ１１、バーコードスキャナ１２、タッチパネル１３、メモリ部１４、時計部１５、通信部１６、制御部１７等によって構成しており、その外観を図２に示す。すなわち打刻用端末１０は、正面に例えばカラー液晶ディスプレイを用いたタッチパネル１３を設けており、このタッチパネル１３の上縁部略中央に、出退勤時の社員の上半身を撮影するためのカメラ１１、例えばディジタルカメラを取り付けている。また、社員証１８に印刷された社員コードのバーコードを読取るためのバーコードスキャナ１２を通信ケーブル１９で接続している。社員コードは、被管理者である社員を識別するための識別コードとして機能する。
【００１２】
メモリ部１４は、バーコードスキャナ１２で読取られたバーコードから変換された社員コードや、カメラ１１によって撮影された画像データ等を一時保存するためのエリアである。時計部１５は、現在の日付及び時刻を計時する。通信部１６は、ネットワークで接続されたデータベースサーバ２０との間のデータの送受信を制御する。
【００１３】
制御部１７は、予め設定されたプログラムに従い、図４の流れ図に示す手順で各部を制御する。すなわち制御部１７は、ＳＴ（ステップ）１としてタッチパネル１３に初期画面を表示させる。初期画面は、例えば「出勤又は退勤される方は社員証のバーコードをスキャナで読取った後、出勤ボタン又は退勤ボタンをタッチしてください」等のメッセージを表示した画面である。
【００１４】
この状態で、制御部１７は、ＳＴ２として社員コードが入力されるのを待機する。そして、バーコードスキャナ１２により社員コードのバーコードが読取られたならば、ＳＴ３として通信部１６を制御してデータベースサーバ２０にアクセスし、社員マスタファイル２２に当該社員コードに対応して設定されている社員個人データの氏名データを取得する。そして、ＳＴ４としてタッチパネル１３に打刻項目選択画面Ｇ０を表示させる。打刻項目選択画面Ｇ０の一例を図３に示す。図示するように、画面Ｇ０には、社員が出勤時にタッチ操作する出勤ボタンＢ１と、退勤時にタッチ操作する退勤ボタンＢ２と、打刻取消時にタッチ操作する取消ボタンＢ３とが表示されている。また、時計部１５にて計時されている現在の日付及び時刻と、ＳＴ３の処理で取得した社員の氏名も表示されている。
【００１５】
この状態で、制御部１７は、ＳＴ５として画面Ｇ０上のいずれかのボタンＢ１〜Ｂ３がタッチ操作されるのを待機する。そして、ＳＴ６として取消ボタンＢ３がタッチ操作されたことを検知した場合にはＳＴ１に戻り、タッチパネル１３の画面を初期画面に戻す。
【００１６】
これに対し、出勤ボタンＢ１または退勤ボタンＢ２がタッチ操作されたことを検知した場合には、制御部１７は、ＳＴ７としてカメラ１１を作動させて、ボタンをタッチ操作した社員の上半身を撮影する。そして撮影後、制御部１７は、ＳＴ８として社員の出退勤時に関するデータとして打刻データを生成する。この打刻データは、図５に示すように、出勤ボタンＢ１または退勤ボタンＢ２がタッチ操作された時点の時計部１５の日付及び時刻と、出勤ボタンＢ１がタッチ操作されたのか退勤ボタンＢ２がタッチ操作されたのかを識別する区分フラグ（この実施の形態では、説明の便宜上、出勤ボタンＢ１がタッチ操作されたときには“０”、退勤ボタンＢ２とがタッチ操作されたときには“１”とする）と、ＳＴ２の処理で入力された社員コードと、ＳＴ３の処理で取得した氏名データと、ＳＴ７の処理でカメラ１１によって撮影された画像データとからなる。
【００１７】
しかる後、制御部１７は、ＳＴ９として通信部１６を制御して打刻データをデータベースサーバ２０に送信したならばＳＴ１に戻り、タッチパネル１３の画面を初期画面に戻して、次の社員の打刻を待機するものとなっている。
【００１８】
データベースサーバ２０は、打刻用端末１０から送られてくる打刻データを、打刻日時が新しい順番にデータファイル２１に保存する。そして、打刻日から一定の期日（例えば１年）を経過したデータを順次削除して、データファイル２１の容量が満杯にならないようにしている。なお、データファイル２１から削除されるデータを、磁気テープ，磁気ディスク，光磁気ディスク，光ディスク等の記録媒体に記録して半永久的に保存するようにしてもよい。
【００１９】
図６は前記社員マスタファイル２２に保存される１社員分のデータ構造を示す模式図である。図示するように、社員マスタファイル２２には、各社員の社員コードに対応して氏名，役職などの社員個人データの他、その社員本人を特定するために撮影された上半身のオリジナル画像及びそのオリジナル画像の登録日を記憶している。因みに、社員毎に打刻用端末１０のカメラ１１で初回出社時に撮影された画像をそれぞれその社員のオリジナル画像として日付（登録日）とともに社員マスタファイル２２に登録している。このオリジナル画像は、適時その後の撮影画像に変更することができる。ここに、社員マスタファイル２２は、画像保存手段を構成する。
【００２０】
入退場管理装置３０は、例えばパーソナルコンピュータ，ワークステーション等のコンピュータを利用したものであり、ＣＰＵ（Ｃｅｎｔｒａｌ  Ｐｒｏｃｅｓｓｉｎｇ  Ｕｎｉｔ）を主体にした制御部３１に、データベースサーバ２０とデータを送受信するための通信部３２、各種データを記憶するためのメモリ部３３、現在の日付及び時刻を計時する時計部３４、プログラム等のデータを保存するＨＤＤ（Ｈａｒｄ  Ｄｉｓｋ  Ｄｒｉｖｅ）３５等を備えている。また、キーボード３６やマウス３７等の入力機器や、ディスプレイ３８等の出力機器を接続している。
【００２１】
メモリ部３３には、特に図７に示すように、データファイル２１に保存された打刻データの日付，時刻，区分フラグ，社員コード及び社員氏名の各データを、１から連続する行番号順に格納するリストメモリ３３１と、このリストメモリ３３１と同一のエリア構成を有し、データの並び替え、いわゆるソート処理や、データの抽出処理等に利用される編集メモリ３３２とを形成している。
【００２２】
また、図８に示すように、１から連続するソート番号別に、編集メモリ３３２に記憶されたデータの並び替え条件（ソート条件）を記憶する並び替え条件記憶手段としてのソート条件テーブル３３３と、同じく１から連続する抽出番号別に、編集メモリ３３２に記憶されたデータの抽出条件を記憶する抽出条件記憶手段としての抽出条件テーブル３３４とを形成している。
【００２３】
本実施の形態において、並び替え条件は、編集メモリ３３２に記憶されたデータの項目（日付，時刻，区分フラグ，社員コード，社員氏名）の中で並び替えのキーとなる項目とその並べ替え順序（昇順または降順）を、優先順位１位から順に最大で３位まで設定する。抽出条件は、編集メモリ３３２に記憶されたデータの項目毎に、抽出するデータ（文字，数字等）を選択的に設定する。なお、図９において“ＡＬＬ”は抽出条件の無い項目を示している。
【００２４】
ＨＤＤ３５には、特に図１０〜図１５の流れ図に示す手順の処理を制御部３１に実行させるための入退場管理プログラム３５１を記憶している。しかして、キーボード３６の操作により入退場管理プログラム３５１が起動されると、制御部３１が図１０の流れ図に示す処理を開始する。
【００２５】
先ず、制御部３１は、ＳＴ１１として社員コードが入力されるのを待機する。そして、キーボード３６の操作により社員コードが入力されたならば、制御部３１は、ＳＴ１２として通信部３２を制御してデータベースサーバ２０にアクセスし、社員マスタファイル２２に当該社員コードに対応して設定されている社員個人データの氏名データ及び役職データを取得する。
【００２６】
次に、制御部３１は、ＳＴ１３として取得した社員個人データに基づいてオペレータが出退勤管理者か否かを判断する。例えば出退勤管理者となり得る役職のデータをメモリ部３３またはＨＤＤ３５に設定しておき、社員個人データの役職データを設定データと照合して一致するものがあれば出退勤管理者であると判断し、一致するものが無ければ出退勤管理者でないと判断する。出退勤管理者でないと判断した場合には、この処理をエラーとして終了する。したがって、出退勤管理者として予め承認されている役職のものしか出退勤管理を行なうことができないようになっている。なお、出退勤管理者となり得る社員の社員コードを予め設定しておき、入力された社員コードが設定された社員コードと一致した場合にオペレータが出退勤管理者であると判断するようにしてもよい。
【００２７】
オペレータが出退勤管理者である場合には、制御部３１は、当該社員個人データの氏名データを管理者氏名データとしてメモリ部３３に一時記憶する。しかる後、ＳＴ１５として図１１に具体的に示すリスト作成処理を実行する。
【００２８】
すなわち制御部３１は、ＳＴ３１として通信部３２を介してデータベースサーバ２０にアクセスしてデータファイル２１を読込む。次に、制御部３１は、ＳＴ３２としてデータファイル２１に保存されている打刻データの数Ｄが“０”より大きいか否かを判断する。ここで、打刻データの数Ｄが“０”以下、つまりデータファイル２１に打刻データが保存されていない場合には、リストを作成すべきデータが存在しないので、このリスト作成処理を終了する。
【００２９】
ＳＴ３２にて打刻データの数Ｄが“０”より大きい場合には、制御部３１は、ＳＴ３３としてリストメモリ３３１を一旦クリアする。また、ＳＴ３４としてリストの読出しカウンタＡを初期値“１”にセットする。読出しカウンタＡは制御部３１が内蔵していてもよいし、メモリ部３３に設けていてもよい。
【００３０】
次に、制御部３１は、ＳＴ３５として管理期間が入力されるのを待機する。ここで、キーボード３６から数値が入力されたならばその数値を日数とみなし、時計部３４にて計時されている本日の日付より数値の日数分前の日付までを管理期間とする。例えば本日の日付が２月３日であり、管理期間として「１０」が入力されたならば、本日より１０日前の１月２４日から本日（２月３日）までを管理期間する。
【００３１】
管理期間が入力されたならば、制御部３１は、ＳＴ３６としてデータベースサーバ２０から読込んだデータファイル２１からＡ番目（Ａはカウンタの値）の打刻データを読み出す。そして、ＳＴ３７としてこの打刻データの日付が管理期間内か否かを判断する。管理期間内であれば、ＳＴ３８としてその打刻データの日付，時刻，区分フラグ，社員コード及び被管理者の個人情報である社員氏名の各データをリストメモリ３３１に格納する。管理期間外の場合には、ＳＴ３８の処理を実行しない。
【００３２】
その後、制御部３１は、ＳＴ３９として読出しカウンタＡを「１」だけカウントアップする。そして、ＳＴ４０として読出しカウンタＡが打刻データの数Ｄを超えたか否かを確認する。ここで、読出しカウンタＡが打刻データの数Ｄを超えていない場合には、ＳＴ３６の処理に戻る。
【００３３】
こうして、制御部３１は、データファイル２１から順次打刻データを読み出す毎にそのデータが管理期間内のデータか否かを判断し、管理期間内のデータであればそのデータの日付，時刻，区分フラグ，社員コード及び社員氏名の各データをリストメモリ３３１に格納する処理を繰返す。このとき、データは行番号の小さいエリアから順番に格納する。そして、データファイル２１内の全ての打刻データについて上記処理を実行したならば、制御部３１は、このリスト作成処理を終了する（リスト作成手段）。
【００３４】
リスト作成処理を終了すると、制御部３１は、ＳＴ１６としてリストメモリ３３１に記憶された各データを編集メモリ３３２に複写（コピー）する。そして制御部３１は、ＳＴ１７として編集メモリ３３２のデータに基づいてディスプレイ３８に打刻データのリスト画面Ｇ１を表示させる（リスト表示制御手段）。
【００３５】
リスト画面Ｇ１の一例を図１６に示す。図示するように、画面Ｇ１の上部には、メモリ部３３に記憶した管理者氏名データ、つまりオペレータとして承認された管理者の氏名と、時計部３４にて計時されている現在の日付及び時刻が表示される。画面Ｇ１の中央部には、リストＬ０が表示される。リストＬ０には、編集メモリ３３２の行番号，日付，時刻，区分フラグ，社員コード及び社員氏名に続いて文字「画像」が表示される。区分フラグは、“０”に対しては文字「出勤」が表示され、“１”に対しては文字「退出」が表示される。文字「出勤」または「退出」は、対応する日付が入場時のものか退場時のものかを指示する情報である。行番号「１１」以降のデータは、スクロールバーＳＢを下方に下げることにより表示される。リストＬ０上の社員氏名と文字「画像」は、マウス３７の操作により移動可能なポインタＰで指示しクリックすることで選択可能である。図では下線を付して選択不能な他のデータと区別している。データの色を異ならせることで、選択可能か否かを区別してもよい。
【００３６】
リスト画面Ｇ１の下部には、被管理者撮影画像の連続再生処理実行を指令する自動ボタンＢ４と、リストＬ０の並べ替え処理実行を指令するソートボタンＢ５と、リストＬ０からのデータ抽出処理実行を指令するための抽出ボタンＢ６と、入退場管理プログラム３５１の終了を指示する終了ボタンＢ７とが表示されている。
【００３７】
制御部３１は、リスト画面Ｇ１を表示後、リストＬ０上の選択可能な項目のデータ（社員氏名または文字「画像」）がクリックされるのを待機する。また、自動ボタンＢ４，ソートボタンＢ５，抽出ボタンＢ６及び終了ボタンＢ７のいずれかのボタンがクリックされるのを待機する。
【００３８】
ここで、ＳＴ１８としてリストＬ０上の選択可能な項目のデータがクリックされた場合には、制御部３１は、図１２に具体的に示す画像表示処理を実行する。すなわち、制御部３１は、ＳＴ４１としてその項目が第１の項目である文字「画像」なのか第２の項目である社員氏名なのかを判別する。そして、文字「画像」がクリックされた場合には、ＳＴ４２としてそのクリックされた文字「画像」と同一行に表示されている日付，時刻及び社員コードを検索キーとしてデータベースサーバ２０から読込んだデータファイル２１を検索し、検索キーに一致する打刻データの撮影画像データを抽出する。そして、ＳＴ４３として図１７（ａ）に示すように、その撮影画像データの画像Ｇ２をクローズボタンＢ８とともにディスプレイ３８に表示させる。
【００３９】
これに対し、リストＬ０上の選択可能な項目のデータとしていずれかの社員氏名がクリックされた場合には、制御部３１は、ＳＴ４４としてそのクリックされた社員氏名と同一行に表示されている日付，時刻及び社員コードを検索キーとしてデータベースサーバ２０から読込んだデータファイル２１を検索し、検索キーに一致する打刻データの撮影画像データを抽出する。また、データベースサーバ２０にアクセスして、社員マスタファイル２２に当該社員コードに対応して設定されているオリジナル画像データを抽出する。そして、ＳＴ４５として図１７（ｂ）に示すように、そのオリジナル画像データの画像Ｇ３と撮影画像データの画像Ｇ２とを並べて、クローズボタンＢ８とともにディスプレイ３８に表示させる。
【００４０】
その後、制御部３１は、ＳＴ４６としてクローズボタンＢ８がクリックされるのを待機する。そして、クローズボタンＢ８がクリックされたならば、制御部３１は、ＳＴ４７として画像Ｇ２または画像Ｇ２とＧ３を消去し、ＳＴ１７のリスト画面表示状態に戻る。
【００４１】
リスト画面表示状態において、ＳＴ１９として自動ボタンＢ４がクリックされた場合には、制御部３１は、図１３に具体的に示す連続再生処理を実行する。すなわち、制御部３１は、ＳＴ５１として編集メモリ３３２を検索してデータ（日付，時刻，区分フラグ，社員コード，社員氏名）が格納されている行番号の最大値（以下、最終行番号Ｎと称する）を取得する。そして、ＳＴ５２として最終行番号Ｎが“０”より大きいことを確認後、制御部３１は、ＳＴ５３として行番号カウンタＢを“１”に初期化する。行番号カウンタＢは制御部３１が内蔵していてもよいし、メモリ部３３に設けていてもよい。
【００４２】
次に、制御部３１は、ＳＴ５４として連続再生方法の選択をオペレータに促す再生方法選択画面Ｇ４をディスプレイ３８に表示させる。再生方法選択画面Ｇ４の一例を図１８に示す。図示するように、画面Ｇ４には、被管理者である社員の撮影画像とともにオリジナル画像を表示させるか否かを選択する選択部Ｓ１，Ｓ２と、連続再生の実行を指令する実行ボタンＢ９とが表示される。
【００４３】
制御部３１は、ＳＴ５５として再生方法が選択されるのを待機する。そして、選択部Ｓ１，Ｓ２のうちいずれか一方が選択され、実行ボタンＢ９がクリックされると、制御部３１は、ＳＴ５６として編集メモリ３３２から行番号Ｂ（Ｂは行番号カウンタＢの値）のデータ、つまり行番号１に格納された日付，時刻，区分フラグ，社員コード及び社員氏名の各データを読込む。そして、ＳＴ５７として再生方法として選択部Ｓ１、つまりオリジナル画像無しが選択されていた場合には、制御部３１は、行番号Ｂのデータの日付，時刻及び社員コードを検索キーとしてデータベースサーバ２０から読込んだデータファイル２１を検索し、検索キーに一致する打刻データの撮影画像データを抽出する。そして、ＳＴ５９として図１９（ａ）に示すように、その撮影画像データの画像Ｇ２をクローズボタンＢ８，一時停止ボタンＢ１０及び再生ボタンＢ１１とともにディスプレイ３８に表示させる。
【００４４】
これに対し、再生方法として選択部Ｓ２、つまりオリジナル画像有りが選択されていた場合には、制御部３１は、ＳＴ６０として行番号Ｂのデータの日付，時刻及び社員コードを検索キーとしてデータベースサーバ２０から読込んだデータファイル２１を検索し、検索キーに一致する打刻データの撮影画像データを抽出する。また、データベースサーバ２０にアクセスして、社員マスタファイル２２に当該社員コードに対応して設定されているオリジナル画像データを抽出する。そして、ＳＴ６１として図１９（ｂ）に示すように、そのオリジナル画像データの画像Ｇ３と撮影画像データの画像Ｇ２とを並べて、クローズボタンＢ８，一時停止ボタンＢ１０及び再生ボタンＢ１１とともにディスプレイ３８に表示させる。
【００４５】
その後、制御部３１は、ＳＴ６２としてクローズボタンＢ８がクリックされるか、ＳＴ６３としてタイマを動作させて画像Ｇ２または画像Ｇ２とＧ３の表示から予め設定された時間が経過するのを待機する。その間に、一時停止ボタンＢ１０が操作された場合には、タイマの計時動作を停止する。タイマは、再生ボタンＢ１１が操作されたことに応じて計時動作を再開する。
【００４６】
画像表示から設定時間が経過したならば、制御部３１は、ＳＴ６４として行番号カウンタＢを“１”だけカウントアップする。そして、ＳＴ６５として行番号カウンタＢが最終行番号Ｎを超えたか否かを判断する。行番号カウンタＢが最終行番号Ｎを超えていない場合には、制御部３１はＳＴ５６の処理に戻り、編集メモリ３３２から行番号Ｂのデータを読込んで、上記の処理を繰返す。行番号カウンタＢが最終行番号Ｎを超えた場合には、制御部３１は、ＳＴ６６として行番号カウンタＢを“１”に初期化した後、ＳＴ５６の処理に戻り、編集メモリ３３２から行番号Ｂのデータ，つまり行番号１のデータを読込んで、上記の処理を繰返す。
【００４７】
すなわち制御部３１は、再生方法としてオリジナル画像無しが選択された場合には、編集メモリ３３２に格納されたデータの行番号が小さい順に、そのデータに該当する社員の該当日における出勤時または退勤時に打刻用端末１０のカメラ１１で撮影された画像Ｇ２を設定時間間隔で順繰りに切換えてディスプレイ３８に表示させる。そして、最終行番号Ｎのデータに該当する社員の画像Ｇ２を設定時間だけ表示したならば、行番号１のデータに該当する社員の画像Ｇ２を再び表示させて、上記処理を繰返す（画像表示制御手段）。また、再生方法としてオリジナル画像有りが選択された場合には、各社員の撮影画像Ｇ２とともに当該社員のオリジナル画像Ｇ３を並べて上記と同様に順繰りに表示させる（画像表示制御手段）。その途中で、クローズボタンＢ８がクリックされたならば、制御部３１は、ＳＴ６７として画像Ｇ２または画像Ｇ２とＧ３を消去し、ＳＴ１７のリスト画面表示状態に戻る。
【００４８】
リスト画面表示状態において、ＳＴ２０としてソートボタンＢ５がクリックされた場合には、制御部３１は、図１４に具体的に示すソート処理を実行する。すなわち、制御部３１は、ＳＴ７１としてソート条件テーブル３３３を検索し、ソート条件データが設定されているソート番号の最大値（以下、最終ソート番号Ｘと称する）を取得する。そして、ＳＴ７２として最終ソート番号Ｘが“０”より大きいか否かを判断する。
【００４９】
最終ソート番号Ｘが“０”より大きい場合には、ソート条件テーブル３３３にソート条件が設定されているので、制御部３１は、ＳＴ７３としてそのソート条件のリスト画面Ｇ５をディスプレイ３８に表示させる。ソート条件リスト画面Ｇ５の一例を図２０に示す。図示するように、画面Ｇ５には、ソート条件テーブル３３３に設定されているソート条件のなかの１つを選択する選択部Ｓ３，Ｓ４，Ｓ５と、ソート処理の実行を指令する実行ボタンＢ１２と、ソート条件の設定を指令する条件設定ボタンＢ１３とが表示される。
【００５０】
制御部３１は、ＳＴ７４として条件設定ボタンＢ１３が操作されるか、ＳＴ７５として実行ボタンＢ１２が操作されるのを待機する。ここで、条件設定ボタンＢ１３が操作された場合、あるいはＳＴ７２にて最終ソート番号Ｘが０の場合、つまりソート条件テーブル３３３にソート条件データが設定されていない場合には、制御部３１は、ＳＴ７６としてソート条件設定画面Ｇ６をディスプレイ３８に表示させる。
【００５１】
ソート条件設定画面Ｇ６の一例を図２１に示す。図示するように、画面Ｇ６には、ソート対象のリスト項目（本実施の形態では、日付，時刻，区分，社員コード，社員氏名）の中でどの項目を１番目に優先されるキーとするかを指定するエリアＡ１と、同じく２番目に優先されるキーとなる項目を指定するエリアＡ２と、同じく３番目に優先されるキーとなる項目を指定するエリアＡ３と、各キーの項目毎に並び替え順序を昇順とするか降順とするかを選択する選択部Ｓ６，Ｓ７と、ソート条件の保存を指令する保存ボタンＢ１４とが表示される。因みに、エリアＡ１〜Ａ３において「なし」を選択すると、優先されるキーが無いことを示す。
【００５２】
制御部３１は、ＳＴ７７として保存ボタンＢ１４が操作されるのを待機する。そして、保存ボタンＢ１４が操作されたならば、制御部３１は、ＳＴ７８としてソート条件設定画面Ｇ６の各エリアＡ１〜Ａ３でそれぞれ指定された優先キー項目とその並び替え順序とから設定された新規のソート条件が、ソート条件テーブル３３３に既に設定されている既存のソート条件と重複するか否かを判断する。そして、重複しない場合には、制御部３１は、ＳＴ７９として最終ソート番号Ｘを“１”だけ増加した後、ＳＴ８０としてソート条件テーブル３３３のソート番号Ｘに対応するエリアにこの新規のソート条件データを格納する（並び替え条件設定手段）。新規のソート条件が既存のソート条件と重複する場合には、ＳＴ７９，ＳＴ８０の処理を実行しない。
【００５３】
その後、制御部３１は、ＳＴ７３の処理に戻り、ソート条件リスト画面Ｇ５をディスプレイ３８に再度表示させる。このとき、ＳＴ８０の処理にて新規のソート条件データがソート条件テーブル３３３に追加された場合には、その新規のソート条件を選択する選択部も追加する。
【００５４】
ソート条件リスト画面Ｇ５の実行ボタンＢ１２がクリックされた場合には、制御部３１は、ＳＴ８１として並び替え条件選択手段である選択部Ｓ３〜Ｓ５により選択されたソート条件データをソート条件テーブル３３３から読み出す。そして制御部３１は、ＳＴ８２としてこのソート条件に従い編集メモリ３３２内のデータを並び替えたならば（データ並び替え手段）、ＳＴ１７に戻り、編集メモリ３３２のデータに基づいてリスト画面Ｇ１を再度表示させる。
【００５５】
リスト画面表示状態において、ＳＴ２１として抽出ボタンＢ６がクリックされた場合には、制御部３１は、図１５に具体的に示す抽出処理を実行する。すなわち、制御部３１は、ＳＴ９１として抽出条件テーブル３３４を検索し、抽出条件データが設定されている抽出番号の最大値（以下、最終抽出番号Ｙと称する）を取得する。そして、ＳＴ９２として最終抽出番号Ｙが“０”より大きいか否かを判断する。
【００５６】
最終抽出番号Ｙが“０”より大きい場合には、抽出条件テーブル３３４に抽出条件が設定されているので、制御部３１は、ＳＴ９３としてその抽出条件のリスト画面Ｇ７をディスプレイ３８に表示させる。抽出条件リスト画面Ｇ７の一例を図２２に示す。図示するように、画面Ｇ７には、抽出条件テーブル３３４に設定されている抽出条件のなかの１つを選択する選択部Ｓ６，Ｓ７，Ｓ８と、抽出処理の実行を指令する実行ボタンＢ１５と、抽出条件の設定を指令する条件設定ボタンＢ１６とが表示される。
【００５７】
制御部３１は、ＳＴ７４として条件設定ボタンＢ１６が操作されるか、ＳＴ９５として実行ボタンＢ１５が操作されるのを待機する。ここで、条件設定ボタンＢ１６が操作された場合、あるいはＳＴ９２にて最終抽出番号Ｙが０の場合、つまり抽出条件テーブル３３４に抽出条件データが設定されていない場合には、制御部３１は、ＳＴ９６として抽出条件設定画面Ｇ８をディスプレイ３８に表示させる。
【００５８】
抽出条件設定画面Ｇ８の一例を図２３に示す。図示するように、画面Ｇ８には、抽出対象のリスト項目（本実施の形態では、日付，時刻，区分，社員コード，社員氏名）毎にどのデータを抽出するかを指定するエリアＡ４〜Ａ８と、抽出条件の保存を指令する保存ボタンＢ１７とが表示される。因みに、エリアＡ４〜Ａ８において「なし」を選択すると、抽出するデータが無いことを示す。
【００５９】
制御部３１は、ＳＴ９７として保存ボタンＢ１７が操作されるのを待機する。そして、保存ボタンＢ１７が操作されたならば、制御部３１は、ＳＴ９８として抽出条件設定画面Ｇ８の各エリアＡ４〜Ａ８でそれぞれ指定された新規の抽出条件が、抽出条件テーブル３３４に既に設定されている既存の抽出条件と重複するか否かを判断する。そして、重複しない場合には、制御部３１は、ＳＴ９９として最終抽出番号Ｙを“１”だけ増加した後、ＳＴ１００として抽出条件テーブル３３４の抽出番号Ｙに対応するエリアにこの新規の抽出条件データを格納する（抽出条件設定手段）。新規の抽出条件が既存の抽出条件と重複する場合には、ＳＴ９９，ＳＴ１００の処理を実行しない。
【００６０】
その後、制御部３１は、ＳＴ９３の処理に戻り、抽出条件リスト画面Ｇ７をディスプレイ３８に再度表示させる。このとき、ＳＴ１００の処理にて新規の抽出条件データが抽出条件テーブル３３４に追加された場合には、その新規の抽出条件を選択する選択部も追加する。
【００６１】
抽出条件リスト画面Ｇ７の実行ボタンＢ１５がクリックされた場合には、制御部３１は、ＳＴ１０１として抽出条件選択手段である選択部Ｓ６〜Ｓ８により選択された抽出条件データを抽出条件テーブル３３４から読み出す。ここで制御部３１は、ＳＴ１０２として直前に編集メモリ３３２のデータについてソート処理を実行したか否かを判断する。この判断は、図１４に示したソート処理の終了時にセットされ、この抽出処理の終了時にリセットされるフラグを用いればよい。制御部３１は、直前にソート処理が実行されていない場合には、ＳＴ１０３として編集メモリ３３２のデータを一旦クリアし、リストメモリ３３１のデータを再度編集メモリ３３２に複写する処理を実行する。これに対し、直前にソート処理が実行されていた場合には、このソート処理が行なわれたデータからの抽出であるので、ＳＴ１０３の処理は実行しない。
【００６２】
その後、制御部３１は、ＳＴ１０４として編集メモリ３３２からこの抽出条件に該当しないデータを削除し、残ったデータを行番号が小さい方にシフトしたならば（データ抽出手段）、ＳＴ１７に戻り、編集メモリ３３２のデータに基づいてリスト画面Ｇ１を再度表示させる。
【００６３】
リスト画面表示状態において、ＳＴ２２として終了ボタンＢ７がクリックされた場合には、制御部３１は、入退場管理プログラム３５１を終了させる。
【００６４】
このように本実施の形態においては、出退勤管理者が入退場管理装置３０を操作することにより、出退勤時毎に打刻用端末１０のカメラ１１で撮影された各社員の画像を当該社員の識別コードである会社コードと、出勤日時または退勤日時とともに保存するデータファイル２１を用いて、各社員の出退勤を管理することができる。
【００６５】
具体的には、出退勤管理者は入退場管理装置３０に実装されている入退場管理プログラム３５１を起動後、自身の社員コードを入力する。すると、当該オペレータが予め管理者として承認された者であればその氏名「△△△△」がディスプレイ３８に表示されるので、出退勤管理者は、管理期間を入力する。すると、前記データファイル２１からリストメモリ３３１に読込まれた各社員の出退勤時毎の打刻データのうち管理期間内の打刻データによってリストＬ０が作成され、図１２に示すようにディスプレイ３８にそのリストＬ０が表示される。
【００６６】
そこで管理者は、リストＬ０から管理対象日かつ管理対象区分における管理対象社員の氏名または文字「画像」をクリックする。例えば図１２の画面Ｇ１において、社員「○○○○」の２００３年２月３日における退勤時をチェックする場合には、リストＬ０の行番号［１］の社員氏名「○○○○」若しくは文字「画像」をクリックする。
【００６７】
このとき、社員「○○○○」の顔を管理者が知っている場合には、文字「画像」をクリックする。すると、２００３年２月３日１９時３４分に打刻用端末１０のバーコードスキャナ１２で社員「○○○○」の社員証１８に印刷されているバーコードをスキャニング操作し、続いてタッチパネル１３の画面Ｇ０に表示された退勤ボタンＢ２をタッチ操作した人物の上半身のカメラ１１による撮影画像Ｇ２が、図１３に示す如くディスプレイ３８に表示される。したがって管理者は、この画像Ｇ２を視認することにより、該当人物が社員「○○○○」本人であるか否か、また本人である場合には退勤時に私服着用前打刻をしているか否かをチェックすることができる。この場合において、ディスプレイ３８に表示される人物画像は、管理対象日時における撮影画像のみなので、他の画像を管理対象者の撮影画像として誤認識することが全くない。
【００６８】
一方、社員「○○○○」の顔を管理者が知らない場合には、社員氏名「○○○○」をクリックする。すると、２００３年２月３日１９時３４分に退勤ボタンＢ２をタッチ操作した人物の上半身のカメラ１１による撮影画像Ｇ２とともに、社員マスタファイル２２に保存されている社員「○○○○」のオリジナル画像Ｇ３が、図１４に示す如くディスプレイ３８に並んで表示される。したがって管理者は、この撮影画像Ｇ２とオリジナル画像とを見比べることにより、該当人物が社員「○○○○」本人であるか否か等を容易にチェックすることができる。
【００６９】
また、本実施の形態の入退場管理装置３０は、撮影画像Ｇ２の連続再生機能を有している。すなわち、リスト画面Ｇ１が表示された状態で、管理者が自動ボタンＢ４をクリックする。そうすると、再生方法選択画面Ｂ１８が表示される。ここで、オリジナル画像無しの選択部Ｓ１を選択して実行ボタンＢ９をクリックした場合には、リスト画面Ｇ１に表示されているリストＬ０の行番号が小さい順に該当社員の該当日時における撮影画像Ｇ２が自動的に設定時間間隔で順繰りに切換えられて連続的に表示される。また、オリジナル画像有りの選択部Ｓ２を選択して実行ボタンＢ９をクリックした場合には、リスト画面Ｇ１に表示されているリストＬ０の行番号が小さい順に該当社員の該当日時における撮影画像Ｇ２とオリジナル画像Ｇ３とを並べた画像が自動的に設定時間間隔で順繰りに切換えられて連続的に表示される。したがって、管理者は、管理対象の社員毎にその社員の氏名やそれに対応した文字「画像」を選択操作しなくても、複数の社員の出退勤時における撮影画像をチェックすることができる。
【００７０】
また本実施の形態の入退場管理装置３０は、リストＬ０のソート機能を有している。すなわち、リスト画面Ｇ１が表示された状態で、管理者がソートボタンＢ５をクリックする。そうすると、ソート条件テーブル３３３に登録されている既存のソート条件を選択可能なソート条件リスト画面Ｇ５がディスプレイ３８に表示される。ここで、所望するソート条件が画面Ｇ５に表示されている場合には、管理者は、その所望するソート条件データを指定する選択部，例えばＳ３を選択し、実行ボタンＢ１２をクリックする。そうすると、リストＬ０の各データが、先ず社員氏名の昇順にソートされ、続いて日付の昇順にソートされ、さらに時刻の昇順にソートされる。その結果、リスト画面Ｇ１には、図２４に示す如く並び替えが行なわれたリストＬ１が表示される。
【００７１】
ここで、管理者が自動ボタンＢ４をクリックし、続いて表示される再生方法選択画面Ｂ１８で選択部Ｓ２を選択して実行ボタンＢ９をクリックすると、リストＬ１の行番号が小さい順に該当社員の該当日時における撮影画像Ｇ２とオリジナル画像Ｇ３とを並べた画像が自動的に設定時間間隔で順繰りに切換えられて連続的に表示される。したがって管理者は、複数の社員の出退勤時における撮影画像を、所望する順序でソートした順番に簡単にチェックすることができる。
【００７２】
一方、所望するソート条件が画面Ｇ５に表示されていない場合には、管理者は、条件設定ボタンＢ１３をクリックする。そうすると、ソート条件設定画面Ｇ６が表示されるので、管理者はエリアＡ１〜Ａ３と選択部Ｓ６，Ｓ７を操作して、所望するソート条件を設定する。そして設定後、保存ボタンＢ１４をクリックする。そうすると、このソート条件がソート条件テーブル３３３に保存されるとともにソート条件リスト画面Ｇ５に追加される。そこで管理者は、この追加されたソート条件の選択部を選択し、実行ボタンＢ１２をクリックする。そうすると、リストＬ０の各データが、この追加されたソート条件でソートされる。
【００７３】
こうして追加されたソート条件は、次回よりソートボタンＢ５の操作に応じて表示されるソート条件リスト画面Ｇ５に最初から表示される。したがって、次回からは所望するソート条件を選択するだけで、リストＬ０のデータをそのソート条件に従い並べ替えることができるので、一度設定したソート条件でリストＬ０のデータを並べ替える場合には、そのソート条件を設定しなおす必要が無く、手間を簡略化できる。
【００７４】
また本実施の形態の入退場管理装置３０は、リストＬ０からのデータ抽出機能を有している。すなわち、リスト画面Ｇ１が表示された状態で、管理者が抽出ボタンＢ６をクリックする。そうすると、抽出条件テーブル３３４に登録されている既存の抽出条件を選択可能な抽出条件リスト画面Ｇ７がディスプレイ３８に表示される。ここで、所望する抽出条件が画面Ｇ７に表示されている場合には、管理者は、その所望する抽出条件データを指定する選択部，例えばＳ６を選択し、実行ボタンＢ１５をクリックする。そうすると、リストＬ０の各データから区分が出勤以外のデータと社員氏名が「○○○○」以外のデータが削除され、結果的に区分が出勤でかつ社員「○○○○」のデータだけが抽出される。その結果、リスト画面Ｇ１には、図２５に示す如く社員「○○○○」の出勤時のリストＬ２が表示される。
【００７５】
ここで、管理者が自動ボタンＢ４をクリックし、続いて表示される再生方法選択画面Ｂ１８で選択部Ｓ１を選択して実行ボタンＢ９をクリックすると、リストＬ２の行番号が小さい順に該当社員の該当日時における撮影画像Ｇ２が自動的に設定時間間隔で順繰りに表示される。したがって管理者は、所望する社員の出勤時または退勤時における撮影画像を簡単にチェックすることができる。
【００７６】
一方、所望する抽出条件が画面Ｇ７に表示されていない場合には、管理者は、条件設定ボタンＢ１６をクリックする。そうすると、抽出条件設定画面Ｇ８が表示されるので、管理者はエリアＡ４〜Ａ８を操作して、所望する抽出条件を設定する。そして設定後、保存ボタンＢ１７をクリックする。そうすると、この抽出条件が抽出条件テーブル３３４に保存されるとともに抽出条件リスト画面Ｇ７に追加される。そこで管理者は、この追加された抽出条件の選択部を選択し、実行ボタンＢ１５をクリックする。そうすると、リストＬ０から追加された抽出条件に該当するデータが抽出される。
【００７７】
こうして追加された抽出条件は、次回より抽出ボタンＢ６の操作に応じて表示される抽出条件リスト画面Ｇ７に最初から表示される。したがって、次回からは所望する抽出条件を選択するだけで、リストＬ０のデータからその抽出条件に該当するデータを抽出できるので、一度設定した抽出条件でリストＬ０からデータを抽出するには、その抽出条件を設定しなおす必要が無く、ソート処理の場合と同様に手間を簡略化できる利点がある。
【００７８】
なお、本発明は前記一実施の形態に限定されるものではない。
【００７９】
例えば、打刻データのリストＬ０，Ｌ１，Ｌ２は図１６，図２４，図２５のフォーマットのものに限定されるものではない。例えば、被管理者の撮影画像のみを表示させるための第１の項目であった文字「画像」を省略し、日付が入場時のものか退場時のものかを指示する情報である区分を第１の項目として選択可能にしてもよい。また、被管理者の撮影画像とオリジナル画像とを並べて表示させるための第２の項目を、例えば社員コードとしてもよい。
【００８０】
また、リストが作成されると、そのリストに並べられた順番にデータファイル２１に保存された被管理者の撮影画像をディスプレイ３８に順繰りに切換えて表示させることによって、リストＬ０の表示を省略することも可能である。また、リスト作成処理において管理期間を入力するステップを省略し、データファイル２１に保存されている全ての打刻データを対象にリストＬ０を作成するものも本発明に含まれる。
【００８１】
また、前記実施の形態では、打刻用端末１０と入退場管理装置３０とを別体として説明したが、打刻用端末１０に入退場管理プログラム３５１を実装することにより、管理者が打刻用端末１０を用いて各社員の出退勤を管理するように構成することも可能である。また、データベースサーバ２０をＷｅｂサーバとすることにより、管理者が入退場管理プログラム３５１を実装した汎用パソコンを利用して、インターネットを通じて各社員の出退勤を管理することも可能である。
【００８２】
また、前記実施の形態では、データファイル２１及び社員マスタファイル２２を入退場管理装置３０の外部に接続されたデータベースサーバ２０に設けたが、例えば入退場管理装置３０が内蔵するＨＤＤ３５に設けて、データベースサーバ２０を省略してもよい。
【００８３】
また、打刻用端末１０も前記実施の形態のものに限定されるものではない。例えば、各被管理者がそれぞれ携帯する赤外線通信機能を有する携帯電話のメモリにその被管理者の識別コードを登録するとともに、打刻用端末１０に赤外線通信インタフェースを設け、社員証１８のバーコードをバーコードスキャナ１２で読取る代わりに携帯電話から識別コードを赤外線通信を利用して打刻用端末１０に送信するようにしてもよい。また、携帯電話の画面に識別コードのバーコードを表示させ、社員証１８の代わりに携帯電話の画面に表示されたバーコードをバーコードスキャナ１２で読取ることで識別コードを入力することも可能である。
【００８４】
また本発明は、会社における出勤，退勤の管理だけでなく、社員の外出，戻りなどの入退場の管理や、施設に出入する入場者の入退場管理等にも同様に適用できるものである。
また、ソート条件の項目や抽出条件の項目など、本発明の要旨を逸脱しない範囲で種々変形実施が可能であるのは勿論である。
【００８５】
【発明の効果】
以上詳述したように本発明によれば、複数の被管理者の入場時及び退場時の画像を簡単に確認できるとともに、確認作業の効率が良く、本人確認の精度も高めることができる入退場管理装置及びコンピュータを当該入退場管理装置として機能させることができる入退場管理プログラムを提供できる。
【図面の簡単な説明】
【図１】本発明の一実施の形態における要部構成を示すブロック図。
【図２】同実施の形態における打刻用端末の外観斜視図。
【図３】同打刻用端末のタッチパネルに表示される画面例を示す図。
【図４】同打刻用端末の制御部が実行する処理の要部を示す流れ図。
【図５】同打刻用端末にて生成される打刻データのデータ構造を示す模式図。
【図６】同実施の形態の社員マスタファイルに保存される１社員分のデータ構造を示す模式図。
【図７】同実施の形態において入退場管理装置のメモリ部に形成されるリストメモリのエリア構成を示す模式図。
【図８】同実施の形態において入退場管理装置のメモリ部に形成されるソート条件テーブルのエリア構成を示す模式図。
【図９】同実施の形態において入退場管理装置のメモリ部に形成される抽出条件テーブルのエリア構成を示す模式図。
【図１０】同入退場管理装置の制御部が実行する処理の要部を示す流れ図。
【図１１】図１０のリスト作成処理を具体的に示す流れ図。
【図１２】図１０の画像表示処理を具体的に示す流れ図。
【図１３】図１０の連続再生処理を具体的に示す流れ図。
【図１４】図１０のソート処理を具体的に示す流れ図。
【図１５】図１０の抽出ソート処理を具体的に示す流れ図。
【図１６】同入退場管理装置のディスプレイに表示されるリスト画面の一例を示す図。
【図１７】同入退場管理装置のディスプレイに表示される撮影画像の一例を示す図。
【図１８】同入退場管理装置のディスプレイに表示される再生方法選択画面の一例を示す図。
【図１９】同入退場管理装置のディスプレイに表示される連続再生時の撮影画像の一例を示す図。
【図２０】同入退場管理装置のディスプレイに表示されるソート条件リスト画面の一例を示す図。
【図２１】同入退場管理装置のディスプレイに表示されるソート条件設定画面の一例を示す図。
【図２２】同入退場管理装置のディスプレイに表示される抽出条件リスト画面の一例を示す図。
【図２３】同入退場管理装置のディスプレイに表示される抽出条件設定画面の一例を示す図。
【図２４】同入退場管理装置のディスプレイに表示されるソート後のリスト画面の一例を示す図。
【図２５】同入退場管理装置のディスプレイに表示される抽出後のリスト画面の一例を示す図。
【符号の説明】
１０…打刻用端末、１１…カメラ、１２…バーコードスキャナ、１３…タッチパネル、１４，３３…メモリ部、１５，３４…時計部、１６，３２…通信部、１７，３１…制御部、２０…データベースサーバ、２１…データファイル、２２…社員マスタファイル、３０…入退場管理装置、３５…ＨＤＤ、３６…キーボード、３７…マウス、３８…ディスプレイ、３３１…リストメモリ、３３２…編集メモリ、３３３…ソート条件テーブル、３３４…抽出条件テーブル。
【図１】
2004252745.tif 000003
【図２】
2004252745.tif 000004
【図３】
2004252745.tif 000005
【図４】
2004252745.tif 000006
【図５】
2004252745.tif 000007
【図６】
2004252745.tif 000008
【図７】
2004252745.tif 000009
【図８】
2004252745.tif 000010
【図９】
2004252745.tif 000011
【図１０】
2004252745.tif 000012
【図１１】
2004252745.tif 000013
【図１２】
2004252745.tif 000014
【図１３】
2004252745.tif 000015
【図１４】
2004252745.tif 000016
【図１５】
2004252745.tif 000017
【図１６】
2004252745.tif 000018
【図１７】
2004252745.tif 000019
【図１８】
2004252745.tif 000020
【図１９】
2004252745.tif 000021
【図２０】
2004252745.tif 000022
【図２１】
2004252745.tif 000023
【図２２】
2004252745.tif 000024
【図２３】
2004252745.tif 000025
【図２４】
2004252745.tif 000026
【図２５】
2004252745.tif 000027